(57)【要約】【課題】本発明はユーザの利便性の向上を図れるネットワークファクシミリ装置を提供することを目的とする。【解決手段】本発明のネットワークファクシミリ装置は、送信する際に、添付ファイル形式を選択する添付ファイル形式選択手段と、自己解凍形式ファイルに画像ファイルを付加する画像ファイル付加手段と、自己解凍形式ファイルに画像ビューワーを付加する画像ビューワー付加手段とを有している。そして、添付ファイル形式選択手段によって選択された添付ファイル形式に基づいて画像ファイル付加手段及び画像ビューワー付加手段によって画像ファイル及び画像ビューワーを自動的に自己解凍式ファイルに付加して送信先に送る。【選択図】　　　　図１
2004104628.tif 000002
【特許請求の範囲】
【請求項１】
メール送受信機能を有するネットワークファクシミリ装置において、
送信する際に、添付ファイル形式を選択する添付ファイル形式選択手段と、自己解凍形式ファイルに画像ファイルを付加する画像ファイル付加手段と、自己解凍形式ファイルに画像ビューワーを付加する画像ビューワー付加手段とを有し、
前記添付ファイル形式選択手段によって選択された添付ファイル形式に基づいて前記画像ファイル付加手段及び前記画像ビューワー付加手段によって画像ファイル及び画像ビューワーを自動的に自己解凍式ファイルに付加して送信先に送ることを特徴とするネットワークファクシミリ装置。
【請求項２】
前記添付ファイル形式選択手段をオペレータが選択するための選択手段を操作表示部に設け、任意のファイル形式のファイルを送信先に送る請求項１記載のネットワークファクシミリ装置。
【発明の詳細な説明】
【０００１】
【発明の属する技術分野】
本発明はネットワークファクシミリ装置に関し、特に添付ファイルのファイル形式を任意に選択可能とし、更に選択されたファイル形式に対応する自己解凍形式ファイルにする技術に関する。
【０００２】
【従来の技術】
【特許文献１】特開２００１−２５１４６７号公報
【特許文献２】特開２００１−３５２４０８号公報
従来のＥ−ｍａｉｌ送受信機能付きファクシミリ装置（以下ネットワークファクシミリ装置と称す）として、上記特許文献１及び特許文献２には、公衆回線網又は／及びインターネットを介して電子メール形式のファクシミリ送信が可能なネットワークファクシミリ装置が提案されている。また、このようなネットワークファクシミリ装置を簡易的にネットワーク（ＬＡＮ）スキャナとして使用する目的で利用されていた。その際アタッチされるファイル形式はＰＤＦ、ＴＩＦＦ、ＪＰＧ等が一般的である。
【０００３】
【発明が解決しようとする課題】
しかしながら、スキャナ目的として自己への送信の場合ユーザの使いかってでファイル形式を指定すればよいが、不特定多数の相手先の場合は、ファイル形式を送信先で決定するのは不都合が発生する可能性があった。
【０００４】
本発明はこの問題点を解決するためのものであり、ユーザの利便性の向上を図れるネットワークファクシミリ装置を提供することを目的とする。
【０００５】
【課題を解決するための手段】
前記問題点を解決するために、本発明のメール送受信機能を有するネットワークファクシミリ装置は、送信する際に、添付ファイル形式を選択する添付ファイル形式選択手段と、自己解凍形式ファイルに画像ファイルを付加する画像ファイル付加手段と、自己解凍形式ファイルに画像ビューワーを付加する画像ビューワー付加手段とを有する。そして、添付ファイル形式選択手段によって選択された添付ファイル形式に基づいて画像ファイル付加手段及び画像ビューワー付加手段によって画像ファイル及び画像ビューワーを自動的に自己解凍式ファイルに付加して送信先に送る。よって、ユーザの利便性の向上を図ることができる。
【０００６】
また、添付ファイル形式選択手段をオペレータが選択するための選択手段を操作パネルやワンタッチダイアルなどの操作表示部に設け、任意のファイル形式のファイルを送信先に送ることにより、ユーザの操作性を向上できる。
【０００７】
【発明の実施の形態】
本発明のネットワークファクシミリ装置は、送信する際に、添付ファイル形式を選択する添付ファイル形式選択手段と、自己解凍形式ファイルに画像ファイルを付加する画像ファイル付加手段と、自己解凍形式ファイルに画像ビューワーを付加する画像ビューワー付加手段とを有している。そして、添付ファイル形式選択手段によって選択された添付ファイル形式に基づいて画像ファイル付加手段及び画像ビューワー付加手段によって画像ファイル及び画像ビューワーを自動的に自己解凍式ファイルに付加して送信先に送る。
【０００８】
【実施例】
図１は本発明の一実施例に係るネットワークファクシミリ装置の構成を示すブロック図である。同図において、本実施例のネットワークファクシミリ装置１０は、操作表示部１１、読取部１２、書込部１３、バッファ１４、圧縮復号部１５、中央制御部１６、画情報蓄積部１７、通信制御部１８及びＬＡＮポート１９を含んで構成され、各々は内部バス２０，２１を介して接続されている。そして、操作表示部１１は、Ｅ−ｍａｉｌ宛先、ファイル形式指示及び表示を行うＬＣＤを具備している。また、読取部１２は画情報（原稿）を読み取る。書込部１３は受信原稿や各種レポートの書き込み部分で印字動作を行う。バッファ１４は画情報をペリフェラル間でやりとりする場合の中間バッファである。圧縮復号部１５は画情報の圧縮伸長動作を行うＤＣＲであり、画像をメールに添付する際の符号化（ＪＰＥＧ、ＴＩＦＦ他）を行う。また、中央制御部１６はＣＰＵ及びメインメモリを搭載するファクシミリ全体を制御し、操作表示部１１で入力された操作情報等の判断を行い、ＬＣＤ表示（ガイダンス、アドレス表示）等の表示情報の指示を行うと共に、Ｅ−ｍａｉｌアドレス、宛先名称、ワンタッチダイアルを登録するシステムメモリも有する。また、中央制御部１６には、送信する際に、添付ファイル形式を選択する添付ファイル形式選択手段１６−１と、自己解凍形式ファイルに画像ファイルを付加する画像ファイル付加手段１６−２と、自己解凍形式ファイルに画像ビューワーを付加する画像ビューワー付加手段１６−３とを有している。画情報蓄積部１７は画情報をファイルとして蓄積する。通信制御部１８はファクシミリの通信制御を行うコミュニケーションコントロールユニットＣ．Ｃ．Ｕである。ＬＡＮポート１９は通信制御部１８から制御を受け、サーバとの直接のポートとなる。
【０００９】
次に、本実施例のネットワークファクシミリ装置の動作について動作フローを示す図２に従って説明する。
先ず、ユーザがファイル形式の指定を行わずファイル形式が標準（ＴＩＦＦ＊２００ｄｐｉ）であれば（ステップＳ１０１；ＮＯ）、デフォルトのインターネットＦＡＸとして動作する（ステップＳ１０２）。ファイル形式が標準でない場合（ステップＳ１０１；ＹＥＳ）、送信先が閲覧するための画像ビューワーを添付するか判断する（ステップＳ１０３）。なお、この画像ビューワーは、エディット機能、アルバム（一覧表示）等が含まれていてもよい。そして、画像ビューワー添付が選択されないと（ステップＳ１０３；ＮＯ）、指定したファイル形式で画像ファイルをメール転送する（ステップＳ１０４）。画像ビューワー添付が選択されると（ステップＳ１０３；ＹＥＳ）、画像ファイル＋画像ビューワーを自己解凍方式のファイルで、送信先に添付ファイルとして送信指示があるか判断する（ステップＳ１０５）。なお、自己解凍でなくても、圧縮ファイル形式のＺＩＰ，ＬＨＡ等でも汎用的なものであってもよい。送信先に添付ファイルとして送信指示がある場合（ステップＳ１０５；ＹＥＳ）、画像ファイル＋画像ビューワーを自己解凍方式でファイルを作成する（ステップＳ１０６）。そして、作成されたメールファイルを送信する（ステップＳ１０７）。一方、送信先に添付ファイルとして送信指示がない場合（ステップＳ１０５；ＮＯ）、画像ビューワーと画像を指定のファイル形式で送信ファイルを作成する（ステップＳ１０８）。そして、作成されたメールファイルを送信する（ステップＳ１０７）。ここで、ステップＳ１０３、Ｓ１０５における選択手段を操作パネルに又はワンタッチ宛先ファイルに登録可能な構成とし、ワンタッチダイアル選択時に添付形式を選択する。
【００１０】
なお、本発明は上記実施例に限定されるものではなく、特許請求の範囲内の記載であれば多種の変形や置換可能であることは言うまでもない。
【００１１】
【発明の効果】
以上説明したように、本発明のメール送受信機能を有するネットワークファクシミリ装置は、送信する際に、添付ファイル形式を選択する添付ファイル形式選択手段と、自己解凍形式ファイルに画像ファイルを付加する画像ファイル付加手段と、自己解凍形式ファイルに画像ビューワーを付加する画像ビューワー付加手段とを有している。そして、添付ファイル形式選択手段によって選択された添付ファイル形式に基づいて画像ファイル付加手段及び画像ビューワー付加手段によって画像ファイル及び画像ビューワーを自動的に自己解凍式ファイルに付加して送信先に送る。よって、ユーザの利便性の向上を図ることができる。
【００１２】
また、添付ファイル形式選択手段をオペレータが選択するための選択手段を操作パネルやワンタッチダイアルなどの操作表示部に設け、任意のファイル形式のファイルを送信先に送ることにより、ユーザの操作性を向上できる。
【図面の簡単な説明】
【図１】本発明の一実施例に係るネットワークファクシミリ装置の構成を示すブロック図である。
【図２】本実施例のネットワークファクシミリ装置の動作を示すフローチャートである。
【符号の説明】
１０；ネットワークファクシミリ装置、１１；操作表示部、１２；読取部、
１３；書込部、１４；バッファ、１５；圧縮復号部、１６；中央制御部、
１６−１；添付ファイル選択手段、１６−２；画像ファイル付加手段、
１６−３；画像ビューワー付加手段、１７；画情報蓄積部、
１８；通信制御部、１９；ＬＡＮポート、２０，２１；内部バス。
【図１】
2004104628.tif 000003
【図２】
2004104628.tif 000004